(57)【要約】【課題】風向を制御できる吹出口装置の構成を簡略化する。【解決手段】自動車の空調装置に接続するケース体１１の内部に、案内部３３，３３を備えた案内体３１，３１を進退自在に配置する。操作手段１４によりこれら案内部３３，３３を進退させる。各案内体３１は、傾斜した案内部３３を備える。操作手段１４のノブ部４４を操作すると、案内体３１，３１が互いに反対方向に移動する。下流側に移動した案内体３１の案内部３３により、風向を設定できる。【選択図】        図１
2004322981.tif 000002
【特許請求の範囲】
【請求項１】
吹出口、及びこの吹出口に向かう所定方向に流体が流れる流体通路を設けたケース体と、
前記流体通路に配置され、それぞれ前記吹出口に向かい互いに接近する方向に傾斜して突設された案内部を設けた複数の案内体を備え、これら案内体の少なくとも一は、前記所定方向に沿って進退可能に案内された案内手段と
前記一の案内部に対して他の案内部を前記所定方向に沿って相対的に移動させる操作手段と
を具備したことを特徴とする吹出口装置。
【請求項２】
操作手段は、複数の案内部をそれぞれ前記所定方向に沿って互いに離間する方向に移動させる
ことを特徴とする請求項１記載の吹出口装置。
【請求項３】
操作手段は、複数の案内部を、これら案内部が互いに連続する位置に移動させる
ことを特徴とする請求項１記載の吹出口装置。
【請求項４】
操作手段は、揺動可能に支持され、操作可能なノブ部及び各案内部に回動可能かつスライド可能に連結されたリンク接続部を備えたノブ体を備えた
ことを特徴とする請求項１ないし３いずれか一記載の吹出口装置。
【請求項５】
操作手段は、回動自在に支持された操作可能なノブ部を設けたノブ体と、このノブ体の回動に応じて回動され各案内部に回動可能かつスライド可能に連結されたカム溝を設けたカム体とを備えた
ことを特徴とする請求項１ないし３いずれか一記載の吹出口装置。
【請求項６】
ノブ体は、吹出口の外縁部に沿って回動する円環状に形成された
ことを特徴とする請求項５記載の吹出口装置。
【請求項７】
ケース体は、流体通路を設けた内筒と、この内筒を回転可能に嵌合する外筒とを備えた
ことを特徴とする請求項１ないし６いずれか一記載の吹出口装置。
【発明の詳細な説明】
【０００１】
【発明の属する技術分野】
本発明は、例えば、自動車のインストルメントパネルに備えられる空調装置の吹出口装置に関する。
【０００２】
【従来の技術】
従来、例えば、自動車のインストルメントパネルに備えられ、空調装置から供給される風の風向などを調整する吹出口装置が知られている。そして、この種の吹出口装置では、多数のルーバを連動して回動させ、風の吹き出し方向を制御している。しかしながら、この構成では、ルーバや、これらルーバを連結するリンクなどの部品点数が多く、構造が複雑で、製造コストの低減が困難である問題を有している。
【０００３】
この点、ケース体の内側に、スリット状の吹出口と同様の厚さ寸法の仕切板を配置し、この仕切板の上流側などにルーバを配置して外観の向上を図った構成が知られている（例えば、特許文献１参照。）。しかしながら、この構成では、仕切板により流路が狭くなり、通気抵抗が増大する問題を有している。
【０００４】
また、ケース体の内側に、円柱状あるいは球状のグリルを配置し、このグリルを回動して風向を調整する構成が知られている（例えば、特許文献２参照。）。しかしながら、この構成では、グリルを大きく回動させた際に、グリルの一部が流れに逆らう方向に傾斜して流路に突出し、通気抵抗が増大する問題を有している。
【０００５】
【特許文献１】
特公平５−１５９３８号公報  （第２項、第２図Ａ）
【０００６】
【特許文献２】
実開昭５２−１６１４８号公報  （第１図）
【０００７】
【発明が解決しようとする課題】
上記のように、多数のルーバを連動して回動する構成では、部品点数が多く、構造が複雑で、製造コストの低減が困難である問題を有している。また、ケース体の内側に、スリット状の吹出口と同様の厚さ寸法の仕切板を配置する構成や、ケース体の内側に、円柱状あるいは球状のグリルを配置する構成では、通気抵抗が増大する問題を有している。
【０００８】
本発明は、このような点に鑑みなされたもので、簡略な構成で流体を円滑に制御できる吹出口装置を提供することを目的とする。
【０００９】
【課題を解決するための手段】
請求項１記載の吹出口装置は、吹出口、及びこの吹出口に向かう所定方向に流体が流れる流体通路を設けたケース体と、前記流体通路に配置され、それぞれ前記吹出口に向かい互いに接近する方向に傾斜して突設された案内部を設けた複数の案内体を備え、これら案内体の少なくとも一は、前記所定方向に沿って進退可能に案内された案内手段と前記一の案内部に対して他の案内部を前記所定方向に沿って相対的に移動させる操作手段とを具備したものである。
【００１０】
そして、この構成では、操作手段を操作し、一の案内部を他の案内部より吹出口側に相対的に移動させることにより、この吹出口側の案内部により流体の吹き出し方向が案内される。また、複数の案内部を吹出口に対して同じ位置に配置することにより、流体が正面方向に案内される。構造が簡略で、製造コストが容易に低減されるとともに、形状の自由度が向上する。流体通路の内側の流体を妨げる構造の抑制が可能になり、通気抵抗が容易に減少する。
【００１１】
請求項２記載の吹出口装置は、請求項１記載の吹出口装置において、操作手段は、複数の案内部をそれぞれ前記所定方向に沿って互いに離間する方向に移動させるものである。
【００１２】
そして、この構成では、操作手段を操作する量に対して、風向が大きく変化し、操作性が容易に向上する。
【００１３】
請求項３記載の吹出口装置は、請求項１記載の吹出口装置において、操作手段は、複数の案内部を、これら案内部が互いに連続する位置に移動させるものである。
【００１４】
そして、この構成では、案内部が互いに連続する位置に移動させることにより、流体が集中するように案内され、集中拡散状態が調整される。
【００１５】
請求項４記載の吹出口装置は、請求項１ないし３いずれか一記載の吹出口装置において、操作手段は、揺動可能に支持され、操作可能なノブ部及び各案内部に回動可能かつスライド可能に連結されたリンク接続部を備えたノブ体を備えたものである。
【００１６】
そして、この構成では、ノブ部を揺動操作することで、流体の吹き出し方向が調整される。構造が簡略で、製造コストが容易に低減される。
【００１７】
請求項５記載の吹出口装置は、請求項１ないし３いずれか一記載の吹出口装置において、操作手段は、回動自在に支持された操作可能なノブ部を設けたノブ体と、このノブ体の回動に応じて回動され各案内部に回動可能かつスライド可能に連結されたカム溝を設けたカム体とを備えたものである。
【００１８】
そして、この構成では、ノブ部を回動操作することで、流体の吹き出し方向が調整される。
【００１９】
請求項６記載の吹出口装置は、請求項５記載の吹出口装置において、ノブ体は、吹出口の外縁部に沿って回動する円環状に形成されたものである。
【００２０】
そして、この構成では、ノブ体を吹出口の外縁部に沿って回動操作することにより、流体の吹き出し方向が調整される。流体通路にノブ体を配置する必要がなく、通気抵抗が容易に減少するとともに、外観の向上が可能になる。
【００２１】
請求項７記載の吹出口装置は、請求項１ないし６いずれか一記載の吹出口装置において、ケース体は、流体通路を設けた内筒と、この内筒を回転可能に嵌合する外筒とを備えたものである。
【００２２】
そして、この構成では、請求項１ないし６いずれか一記載の構成とともに、外筒に対して内筒を回動することにより、自在な方向に流体が案内される。
【００２３】
【発明の実施の形態】
以下、本発明の吹出口装置の第１の実施の形態を図面を参照して説明する。
【００２４】
図１及び図２において、１０は吹出口装置で、この吹出口装置１０は、ベンチレータ、グリル、あるいは風向制御装置などとも呼ばれるもので、自動車の車室に臨み、インストルメントパネルなどに一体あるいは別体に設けられた開口部に取り付けられている。そして、この吹出口装置１０は、図示しないダクトを介して空調装置に接続され、この空調装置から供給される流体としての風である空調風の風向などを制御するようになっている。なお、以下、車室側を下流側、ダクトに接続される側を上流側とし、この上流側から下流側に向かう方向を所定方向Ａとして説明する。
【００２５】
そして、この吹出口装置１０は、ケース体１１と、このケース体１１に収納された案内手段１２と、この案内手段１２を操作する操作手段１４とを備えている。そして、ケース体１１は、本実施の形態では、高さ寸法が小さく幅寸法の大きい薄型の角筒状の合成樹脂製のケース本体２１と、このケース本体２１の下流側の端部に取り付けられた合成樹脂製のフィニッシャ２２とを備え、内側に流体通路Ｂが形成されている。そして、このフィニッシャ２２は、下流側に向かって高さ寸法が小さくなるように形成され、幅方向に長いスリット状の吹出口２４が形成されている。さらに、このフィニッシャ２２の吹出口２４は、両側に対をなして区画されて一対の吹出部２５，２５が形成され、各吹出部２５，２５には、それぞれ固定あるいは可動の複数のルーバ２７が垂直状に取り付けられている。さらに、フィニッシャ２２の幅方向の中央部には、操作手段支持部２８が設けられている。この操作手段支持部２８は、両側一対の支持片部２９，２９と、これら支持片部２９，２９から互いに接近する水平方向に突設された円柱状の軸部３０とを備えている。
【００２６】
また、案内手段１２は、上下一対の案内体３１，３１を備えている。各案内体３１は、合成樹脂にて一体に形成されたいわば導風板で、案内体本体部３２と、この案内体本体部３２から一体に突設された案内部３３とを備えている。そして、案内体本体部３２は、ケース本体２１の内面に沿った形状で、本実施の形態では、平板状に形成されている。そして、この案内体本体部３２は、ケース本体２１の内面に摺動自在に案内され、所定方向Ａに沿って進退自在に支持されている。また、案内部３３は、案内体本体部３２の下流側の端部から、下流側に向かって流体通路Ｂの中心に向かう傾斜面となるように延設されている。また、本実施の形態では、各案内部３３は、それぞれフィニッシャ２２とほぼ並行になるように傾斜し、案内体３１の所定方向Ａへの前進限では、案内部３３がフィニッシャ２２に沿って当接するようになっている。また、上下の案内体３１が、互いに所定方向Ａに対して同じ位置にある場合の案内部３３の先端部同士の間隔寸法Ｌは、フィニッシャ２２の吹出口２４の寸法とほぼ等しくなるように形成されている。さらに、案内部３３からは、幅方向の中心部から僅かにずれた位置から、上下方向すなわち所定方向Ａと垂直にリンク受部３５が突設されている。このリンク受部３５は、幅方向を厚さ方向とする板状で、幅方向に貫通し上下方向すなわちリンク受部３５の長手方向に沿って長いリンク受け孔部３６が形成されている。
【００２７】
さらに、操作手段１４は、合成樹脂にて略Ｔ状に形成され、円形の凹部あるいは円孔状の軸受部４１を設けた基部４２と、この基部４２から下流側に一体に延設されたノブ部４４と、基部４２の上流側からノブ部４４と直交する上下方向に突設された一対のリンク接続部４５とを備えている。そして、この操作手段１４は、基部４２の軸受部４１にフィニッシャ２２の一対の軸部３０を挟み込むように挿入し、ケース体１１に揺動自在に軸支されている。すなわち、本実施の形態では、ノブ部４４がケース本体２１の吹出口２４から下流側すなわち車室側に突出し、このノブ部４４が上下方向に揺動可能となるように軸支されている。言い換えれば、ノブ部４４は、シーソー式のスイッチのように支持されている。また、リンク接続部４５の先端部近傍からは、両側方向に円柱状のリンク軸部４７が突設され、これらリンク軸部４７が、各案内体３１のリンク受け孔部３６に挿入され回動自在かつ移動自在に連結されている。
【００２８】
そこで、この操作手段１４のノブ部４４を上下に揺動操作することにより、上下の案内体３１，３１が連動して互いに反対方向に移動し、風向を調整できるようになっている。
【００２９】
すなわち、図１（ａ）に示すように、ノブ部４４が所定方向Ａと平行な水平状態では、リンク軸部４７とリンク受け孔部３６とのリンク機構により、上下の案内体３１，３１が互いに所定方向Ａに対して同じ位置に移動する。この状態では、上下に対をなす案内体３１の案内部３３が互いに同様に作用し、空調風Ｆは、所定方向Ａに沿って正面側に案内される。
【００３０】
また、図１（ｂ）に示すように、ノブ部４４が所定方向Ａと交差するいずれかの方向に揺動操作された場合は、例えば、上側に揺動操作された場合は、リンク軸部４７とリンク受け孔部３６とのリンク機構により、下側の案内体３１の案内部３３が下流側に前進し、上側の案内体３１の案内部３３は上流側に後退する。この状態では、上流側に移動した案内部３３により向きが変えられた空調風Ｆ１も含めて、下流側に移動した案内部３３により空調風Ｆが集められるように案内され、ノブ部４４の向きと同じ方向である上方に向かって空調風を曲げることができる。
【００３１】
このように、本発明の第１の実施の形態によれば、ケース体１１の内部に、案内部３３，３３を備えた案内体３１，３１を進退自在に配置し、操作手段１４によりこれら案内部３３，３３を偏位させることで、所望の方向に容易に風向を制御できる。そこで、多数のルーバを用いる構成などに比べて、構造を簡略化でき、製造コストを低減できるとともに、小型化、軽量化が容易になり、種々の形状の吹出口に対応することも容易になる。
【００３２】
また、構造が簡略で、ケース体１１の内側の流体通路Ｂに複雑なリンク装置などを配置する必要がないとともに、空調風の流れに対して逆方向となる傾斜面が形成されないため、通気抵抗を軽減し、空調装置の効率を向上できるとともに、騒音を小さくできる。
【００３３】
特に、案内体３１が２個の場合は、構造を簡略にでき、製造コストの低減や、小型化、軽量化、通気抵抗の軽減、騒音の減少などを容易に図ることができる。
【００３４】
また、対をなす案内部３３，３３が同時に互い反対方向に移動するため、操作手段１４のノブ部４４の操作量に対して、風向を大きく変化させることができ、操作性を容易に向上できる。
【００３５】
なお、上記の実施の形態では、角筒状のケース体１１を用い、狭い部分に配置する際に好適な吹出口装置１０を形成したが、ケース体の形状は種々の形状を採ることができ、また、適宜の構成を組み合わせて、上下方向など一次元のみならず、二次元的に案内することもできる。また、上記の実施の形態では、揺動するノブ部４４を備えた操作手段１４を各案内体３１，３１に連結し、構造の簡略化を実現したが、この構成に限られず、ギアやカムを用いたリンク機構を用い、あるいは、これらリンク機構をケース体の外側に配置して、外観の向上、操作性の向上、あるいは通気抵抗の減少などを図ることもできる。
【００３６】
さらに、流体を案内する案内部は、２個のものに限られず、３個以上備えることもできる。また、各案内部は、単純に互いに反対方向に移動させるのみならず、ケース体に対して一体的に前後に移動させることにより、集中、拡散状態を調整することもできる。
【００３７】
以下、他の実施の形態を図面を参照して順次説明する。
【００３８】
第２の実施の形態は、図３ないし図６に示すように、円形の開口部に取り付けられるいわゆる丸形ベンチレータを実現するものである。
【００３９】
この吹出口装置１１０は、ケース体１１１と、このケース体１１１に収納された案内手段１１２と、この案内手段１１２を操作する操作手段１１４とを備えている。そして、ケース体１１１は、本実施の形態では、合成樹脂製の円筒状の外筒（アウターケース）１２０及び内筒（インナーケース）１２１と、これら外筒１２０及び内筒１２１の下流側の端部に取り付けられた合成樹脂製のフィニッシャ１２２とを備え、内側に流体通路Ｂが形成されている。そして、内筒１２１は、円筒状をなす内筒本体１２１ａと、この内筒本体１２１ａの上流側の端部に外周側に突設して形成されたフランジ部１２１ｂと、下流側の端部近傍から外周側に爪状に突設された弾性変形可能な複数の取付突部１２１ｃとが一体に形成されている。また、外筒１２０は、内筒本体１２１ａの外周部に摺動可能に嵌合する円筒状をなし、外周面に、車体に取り付けられる図示しない取付部が形成されている。また、フィニッシャ１２２は、内筒本体１２１ａの先端部に嵌合する嵌合部１２２ａと、円形状の吹出口１２４の一部を桟で覆うガード部１２２ｂとが形成されている。また、嵌合部１２２ａには、取付突部１２１ｃに係合する取付孔部１２２ｃが形成されている。そこで、内筒本体１２１ａの外周部に外筒１２０を嵌合し、さらに、内筒本体１２１ａの先端部にフィニッシャ１２２を嵌合した状態で、取付突部１２１ｃと取付孔部１２２ｃとの係合で内筒１２１にフィニッシャ１２２が固定されるとともに、このフィニッシャ１２２の嵌合部１２２ａと内筒１２１のフランジ部１２１ｂとの間で、外筒１２０が相対的に回転可能に支持されている。さらに、このフィニッシャ１２２のガード部１２２ｂには、操作手段支持部１２８が設けられている。この操作手段支持部１２８は、一対の支持片部１２９，１２９と、これら支持片部１２９，１２９から互いに接近する水平方向に突設された円柱状の軸部１３０とを備えている。
【００４０】
また、案内手段１１２は、一対の案内体１３１，１３１を備えている。各案内体１３１は、合成樹脂にて一体に形成されたいわば導風板で、案内体本体部１３２と、この案内体本体部１３２から一体に突設された案内部１３３とを備えている。そして、案内体本体部１３２は、内筒１２１の内面に沿った形状で、本実施の形態では、円筒の一部をなす曲面状に形成されている。そして、この案内体本体部１３２は、内筒１２１の内面に摺動自在に案内され、所定方向Ａに沿って進退自在に支持されている。また、案内部１３３は、案内体本体部１３２の下流側の端部から、下流側に向かって流体通路Ｂの中心に向かう傾斜面となるように延設されている。また、本実施の形態では、各案内部１３３は、円錐台の一部である曲面状に形成されている。さらに、各案内体１３１からは、内周側に向かい、所定方向Ａと垂直にリンク受部１３５が突設されている。そして、このリンク受部１３５の先端部近傍には、円柱状のリンク軸部１３６が形成されている。
【００４１】
さらに、操作手段１１４は、合成樹脂にて略Ｔ状に形成され、円形の凹部あるいは円孔状の軸受部１４１を設けた基部１４２と、この基部１４２から下流側に一体に延設されたノブ部１４４と、基部１４２の上流側からノブ部１４４と直交する上下方向に突設された一対のリンク接続部１４５とを備えている。そして、ノブ部１４４は、基部１４２よりも幅寸法の大きい四角板状に形成されている。また、この操作手段１１４は、基部１４２の軸受部１４１をフィニッシャ１２２の一対の軸部１３０を挟み込むように挿入し、ケース体１１１に揺動自在に軸支されている。すなわち、本実施の形態では、ノブ部１４４が内筒１２１の吹出口１２４から下流側すなわち車室側に突出し、このノブ部１４４が揺動可能となるように軸支されている。言い換えれば、ノブ部１４４は、シーソー式のスイッチのように支持されている。また、リンク接続部１４５の先端部近傍には、リンク接続部１４５の長手方向に沿って長いリンク受け孔部１４７が形成されている。そして、これらリンク受け孔部１４７に、各案内体１３１のリンク軸部１３６がに挿入され回動自在かつ移動自在に連結されている。
【００４２】
また、この吹出口装置１１０は、一対の案内体１３１，１３１を操作手段１１４に組み付け、この操作手段１１４をフィニッシャ１２２に組み付けたアッセンブリを構成し、一方、内筒１２１と外筒１２０とを組み合わせ、この内筒１２１の内側にアッセンブリを挿入することにより容易に組み立てられる。
【００４３】
そこで、この操作手段１１４のノブ部１４４を揺動操作することにより、案内体１３１，１３１が連動して互いに反対方向に移動するとともに、ノブ部１４４を回転させて内筒１２１とともに案内体１３１，１３１を回転させることにより、風向を調整できるようになっている。
【００４４】
すなわち、図５（ａ）に示すように、ノブ部１４４が所定方向Ａと平行な状態では、リンク軸部１３６とリンク受け孔部１４７とのリンク機構により、上下の案内体１３１，１３１が互いに所定方向Ａに対して同じ位置に移動する。この状態では、上下に対をなす案内体１３１の案内部１３３が互いに同様に作用し、空調風Ｆは、所定方向Ａに沿って正面側に案内される。
【００４５】
また、図５（ｂ）に示すように、ノブ部１４４が所定方向Ａと交差するいずれかの方向に揺動操作された場合は、例えば、下側に揺動操作された場合は、リンク軸部１３６とリンク受け孔部１４７とのリンク機構により、上側の案内体１３１の案内部１３３が下流側に前進し、下側の案内体１３１の案内部１３３は上流側に後退する。この状態では、上流側に移動した案内部１３３により向きが変えられた空調風Ｆ１も含めて、下流側に移動した案内部１３３により空調風Ｆが集められるように案内され、ノブ部１４４の向きと同じ方向である下方に向かって空調風を曲げることができる。
【００４６】
さらに、ノブ部１４４をつまんでひねることにより、外筒１２０に対して、内筒１２１とともに案内体１３１，１３１が３６０度自在に回動し、対をなす案内体１３１の位置関係を保ったまま、風向を３６０度自在に調整できる。
【００４７】
このように、本発明の第２の実施の形態によれば、ケース体１１１の内部に、案内部１３３，１３３を備えた案内体１３１，１３１を進退自在に配置し、操作手段１１４によりこれら案内部１３３，１３３を偏位させることで、風向を所望の方向に容易に制御できる。さらに、外筒１２０に対して、内筒１２１を回転自在に設けたため、風向を３６０度自在に調整できる。そこで、多数のルーバを用いる構成などに比べて、構造を簡略化でき、製造コストを低減できるとともに、径寸法などの小型化や軽量化が容易になり、丸形状の吹出口に対応することも容易になる。
【００４８】
また、丸形状であっても、構造が簡略で、ケース体１１１の内側の流体通路Ｂに複雑なリンク装置などを配置する必要がないとともに、空調風の流れに対して逆方向となる傾斜面が形成されないため、通気抵抗を軽減し、空調装置の効率を向上できるとともに、騒音を小さくできる。
【００４９】
次に、第３の実施の形態を図７ないし図１０を参照して説明する。
【００５０】
この第３の実施の形態も、第２の実施の形態と同様に、円形の開口部に取り付けられるいわゆる丸形ベンチレータを実現するものである。
【００５１】
この吹出口装置２１０は、ケース体２１１と、このケース体２１１に収納された案内手段２１２と、この案内手段２１２を操作する操作手段２１４とを備えている。そして、ケース体２１１は、本実施の形態では、合成樹脂製の円筒状の外筒（アウターケース）２２０及び内筒（インナーケース）２２１と、これら外筒２２０及び内筒２２１の下流側の端部に取り付けられた合成樹脂製のフィニッシャ２２２とを備え、内側に流体通路Ｂが形成されている。そして、内筒２２１は、本実施の形態では、案内体すなわち導風板としても機能するもので、第１内筒部２２３ａと第２内筒部２２３ｂとを組み合わせ、両側に切欠部２２３ｃを設けた略円筒状の内筒本体２２１ａと、この内筒本体２２１ａの上流側の端部に外周側に突設して形成されたフランジ部２２１ｂとが形成されている。また、この内筒本体２２１ａの下流側の端部近傍からは、外周側に向かい、爪状に突設された弾性変形可能な複数の取付突部２２１ｃが一体に形成されている。また、内筒本体２２１ａの下流側の端部からは、円錐台の一部である曲面状をなして下流側の吹出口２２４に向かって流体通路Ｂの中心に向かう傾斜面となる第２の案内部としての固定案内部２２５が切欠部２２３ｃと交互に形成されている。また、内筒本体２２１ａの切欠部２２３ｃに沿った部分には、案内体ガイド部２２３ｄが所定方向Ａに沿った凹溝として形成されている。さらに、第１内筒部２２３ａには、平板状をなす取付台部２２３ｅが形成されている。そして、この取付台部２２３ｅには、第１の軸支部２２３ｆと、この第１の軸支部２２３ｆの下流側に位置する第２の軸支部２２３ｇとがそれぞれ垂直にすなわちケース２１１の軸心に向かって形成されている。さらに、第２の軸支部２２３ｇには、ケース２１１の軸心に向かう軸支体２２６が外周側から挿入されている。この軸支体２２６は、円柱状をなす軸支体本体部２２６ａと、この軸支体本体部２２６ａの基端部に、軸支体本体部２２６ａより径寸法が大きく形成された受部２２６ｂと、軸支体本体部２２６ａの先端部に軸支体本体部２２６ａより径寸法が小さく突設されたピン部２２６ｃとを備えている。また、第２内筒部２２３ｂには、第１内筒部２２３ａの第１の軸支部２２３ｆと同軸に、第１の軸支部２２３ｆが形成されている。
【００５２】
また、外筒２２０は、内筒本体２２１ａの外周部に摺動可能に嵌合する円筒状をなし、外周面に、車体に取り付けられる図示しない取付部が形成されている。
【００５３】
さらに、フィニッシャ２２２には、内筒本体２２１ａの先端部に嵌合する嵌合部２２２ａと、円形状の吹出口２２４の一部を桟で覆うガード部２２２ｂとが形成されている。また、嵌合部２２２ａには、取付突部２２１ｃに係合する取付孔部２２２ｃが形成されている。そこで、内筒本体２２１ａの外周部に外筒２２０を嵌合し、さらに、内筒本体２２１ａの先端部にフィニッシャ２２２を嵌合した状態で、取付突部２２１ｃと取付孔部２２２ｃとの係合で内筒２２１にフィニッシャ２２２が固定されるとともに、このフィニッシャ２２２の嵌合部２２２ａと内筒２２１のフランジ部２２１ｂとの間で、外筒２２０が相対的に回転可能に支持されている。さらに、このフィニッシャ２２２のガード部２２２ｂには、操作手段支持部２２８が設けられている。この操作手段支持部２２８は、一対の支持片部２２９，２２９と、これら支持片部２２９，２２９から互いに接近する水平方向に突設された円柱状の軸部２３０とを備えている。さらに、ガード部２２２ｂの周囲に位置して、吹出方向を示す表示部２２２ｅが形成されている。
【００５４】
また、案内手段２１２は、一対の案内体２３１，２３１を備えている。各案内体２３１は、合成樹脂にて一体に形成されたいわば導風板で、案内体本体部２３２と、この案内体本体部２３２から一体に突設された第１の案内部であり可動案内部となる案内部２３３とを備えている。そして、案内体本体部２３２は、内筒２２１の内筒本体２２１ａに略沿った形状で、円筒の一部をなす曲面状に形成され切欠部２２３ｃに所定方向Ａに沿って進退自在に嵌合する中本体部２３２ａと、この中本体部２３２ａの上流側に連続し、内筒本体２２１ａの外面に沿った形状で切欠部２２３ｃを覆った状態になる外本体部２３２ｂとを備えている。さらに、各外本体部２３２ｂの両側の端部には、案内体ガイド部２２３ｄに摺動自在に係合する案内体ガイド受部２３２ｃが形成されている。このようにして、各案内体本体部２３２は、内筒２２１に摺動自在に案内され、所定方向Ａに沿って進退自在に支持されている。また、案内部２３３は、案内体本体部２３２の下流側の端部から、下流側に向かって流体通路Ｂの中心に向かう傾斜面となるように延設されている。また、本実施の形態では、各案内部２３３は、固定案内部２２５と連続可能な円錐台の一部である曲面状に形成されている。さらに、各案内体２３１からは、内周側に向かい、所定方向Ａと垂直にリンク受部２３５が突設されている。そして、このリンク受部２３５の先端部近傍には、円柱状のリンク軸部２３６が形成されている。
【００５５】
さらに、操作手段２１４は、リンク機構を構成し互いに歯合して回動するダイアル２４１、中間ギヤ２４２、及びカムギヤ２４３を備えている。そして、ダイアル２４１は、円盤状をなし、中央部に設けた円形の凹部あるいは円孔状の軸受部２４１ａを軸部２３０に挟み込むように挿入して嵌合し、ケース体２１１のフィニッシャ２２２に回動自在に軸支されている。そして、このダイアル２４１は、フィニッシャ２２２に取り付けられた状態で、フィニッシャ２２２から下流側に突出する部分がノブ部２４４となり、軸受部２４１ａを挟んでノブ部２４４の反対側には歯合部２４１ｂが形成されている。また、中間ギヤ２４２は、円盤状をなし、中央部に、円形の凹部あるいは円孔状の軸受部２４２ａが形成され、外周の全周に歯合部２４２ｂが形成されているとともに、図１０に示すように、一面に、摺動抵抗を軽減する突部２４２ｃが形成されている。また、カムギヤ２４３は、図７などに示すように、円盤状をなすカム板部２４３ａと、このカム板部２４３ａの一面に同軸に形成された歯合部２４３ｂと、カム板部２４３ａの軸心から両面に突設された円柱状の軸部２４３ｃと、この軸部２４３ｃの両端部から突設されたピン部２４３ｄとを備えている。さらに、カム板部２４３ａには、一面に、所定の形状の曲線状をなす凹溝である第１のカム溝２４５が形成されているとともに、他面に、所定の形状の曲線状をなす凹溝である第２のカム溝２４６が形成されている。そして、このカムギヤ２４３は、上下のピン部２４３ｄをケース体２１１の内筒本体２２１ａの第１の軸支部２２３ｆ，２２３ｆ間に嵌合し、内筒２２１に回転自在に軸支されている。さらに、フィニッシャ２２２にダイアル２４１を取り付け、内筒２２１にカムギヤ２４３を取り付けた状態で、これらダイアル２４１の歯合部２４１ｂとカムギヤ２４３の歯合部２４３ｂとにそれぞれ歯合するように、中間ギヤ２４２の歯合部２４２ｂが配置されている。そして、この中間ギヤ２４２は、一面に設けた軸受部２４２ａに軸支体２２６のピン部２２６ｃを嵌合するとともに、他面に設けた突部２４２ｃがカムギヤ２４３のカム板部２４３ａの一面上に摺動自在に支持されている。さらに、カムギヤ２４３の第１のカム溝２４５に、一方の案内体２３１のリンク受部２３５のリンク軸部２３６を回動かつ移動可能に係合し、カムギヤ２４３の第２のカム溝２４６に、他方の案内体２３１のリンク受部２３５のリンク軸部２３６を回動自在かつ移動自在に係合して、リンク機構に案内体２３１，２３１が連結されている。
【００５６】
また、この吹出口装置２１０の組立作業は、フィニッシャ２２２の軸部２３０に軸受部２４１ａを係合して、フィニッシャ２２２にダイアル２４１を挟み込むようにして組み付ける。また、第１内筒部２２３ａの第１の軸支部２２３ｆと第２内筒部２２３ｂの第１の軸支部２２３ｆとの間にカムギヤ２４３のピン部２４３ｄを係合し挟んで組み合わせるとともに、一対の案内体２３１，２３１のリンク軸部２３６，２３６をカム溝２４５，２４６に係合する。さらに、中間ギヤ２４２をカムギヤ２４３にあてがって歯合部２４３ｂに歯合させ、第２の軸支部２２３ｇから挿入した軸支体２２６のピン部２２６ｃを軸受部２４２ａに挿入し、中間ギヤ２４２を回転自在に支持してアッセンブリを構成する。そして、このアッセンブリを外筒２２１に挿入し、さらに、中間ギヤ２４２にダイアル２４１の歯合部２４１ｂが歯合するようにして、アッセンブリにフィニッシャ２２２とダイアル２４１とを組み付け、取付突部２２１ｃを取付孔部２２２ｃに係合することにより、吹出口装置２１０が容易に構成される。
【００５７】
そして、このように構成された吹出口装置２１０は、ダイアル２４１を回動操作することにより、対をなす案内体２３１，２３１が連動して進退し、風向及び集中拡散状態が調整される。すなわち、図９（ａ）に示すように、ダイアル２４１を一方の方向の回転限まで回動することにより、対をなす案内体２３１，２３１が相対向する位置でかつ下流側の前進限に移動する。この状態では、案内体２３１，２３１の案内部２３３と、内筒２２１の固定案内部２２５との位置が略連続した面である円錐台状に揃った状態になり、正面に向かって集中した状態で風を案内できる。
【００５８】
また、図９（ｂ）に示すように、ダイアル２４１を中間位置まで回動することにより、一方の案内体２３１が相対的に前進し、他方の案内体２３１が相対的に後退した状態になり、すなわち、案内体２３１，２３１の位置が所定方向Ａに沿って互いに離間した状態になり、上流側に移動した案内部２３３により向きが変えられた空調風も含めて、下流側に移動した案内部２３３により空調風が集められるように案内され、空調風を曲げることができる。さらに、この状態で、フィニッシャ２２２などを把持して回転させることにより、外筒２２０に対して、内筒２２１とともに案内体２３１，２３１が３６０度自在に回動し、対をなす案内体２３１の位置関係を保ったまま、風向を３６０度自在に調整できる。
【００５９】
さらに、図９（ｃ）に示すように、ダイアル２４１を他方の方向の回転限まで回動することにより、対をなす案内体２３１，２３１が相対向する位置でかつ上流側の後退限に移動する。この状態では、案内体２３１，２３１の案内部２３３と、内筒２２１の固定案内部２２５との位置がずれた状態になり、正面に向かって拡散した状態で風を案内できる。
【００６０】
このように、本発明の第３の実施の形態によれば、ケース体２１１の内部に、案内部２３３，２３３を備えた案内体２３１，２３１を進退自在に配置し、操作手段２１４によりこれら案内部２３３，２３３を偏位させることで、風向を所望の方向に容易に制御できる。さらに、外筒２２０に対して、内筒２２１を回転自在に設けたため、風向を３６０度自在に調整できる。さらに、案内部２３３，２３３を揃えた状態で複数の位置に移動可能とし、ケース体２１１に設けた固定案内部２２５との位置関係を異ならせることにより、風の集中拡散状態も制御できる。そこで、多数のルーバを用いる構成などに比べて、構造を簡略化でき、製造コストを低減できるとともに、小型化、軽量化が容易になり、丸形状の吹出口に対応することも容易になる。
【００６１】
また、丸形状であっても、構造が簡略で、ケース体２１１の内側の流体通路Ｂに多数のルーバを駆動する複雑なリンク装置などを配置する必要がないとともに、空調風の流れに対して逆方向となる傾斜面が形成されないため、通気抵抗を軽減し、空調装置の効率を向上できるとともに、騒音を小さくできる。
【００６２】
次に、第４の実施の形態を図１１ないし図１３を参照して説明する。
【００６３】
この第４の実施の形態も、第２の実施の形態と同様に、円形の開口部に取り付けられるいわゆる丸形ベンチレータを実現するものである。
【００６４】
この吹出口装置３１０は、ケース体３１１と、このケース体３１１に収納された案内手段３１２と、この案内手段３１２を操作する操作手段３１４とを備えている。そして、ケース体３１１は、本実施の形態では、合成樹脂製の円筒状の外筒（アウターケース）３２０及び内筒（インナーケース）３２１と、これら外筒３２０及び内筒３２１の下流側の端部に取り付けられた合成樹脂製のフィニッシャ３２２とを備え、内側に流体通路Ｂが形成されている。そして、内筒３２１は、本実施の形態では、案内体すなわち導風板としても機能するもので、両側に切欠部３２３ｃを設けた略円筒状の内筒本体３２１ａと、この内筒本体３２１ａの上流側の端部に外周側に突設して形成されたフランジ部３２１ｂとが形成されている。また、この内筒本体３２１ａの下流側の端部近傍からは、外周側に向かい、爪状に突設された弾性変形可能な複数の取付突部３２１ｃが一体に形成されている。
【００６５】
また、内筒本体３２１ａの下流側の端部からは、円錐台の一部である曲面状をなして下流側の吹出口３２４に向かって流体通路Ｂの中心に向かう傾斜面となる第２の案内部である固定案内部３２５が切欠部３２３ｃと交互に形成されている。また、内筒本体３２１ａの外周面には、切欠部３２３ｃの上流側に位置し、案内体ガイド部３２３ｄが所定方向Ａに沿った凹溝として形成されている。さらに、各固定案内部３２５の先端部からは、内周側に向かい第２取付突部３２１ｄが対をなして突設されている。
【００６６】
また、外筒３２０は、内筒本体３２１ａの外周部に所定の間隔を介して嵌合する円筒状をなし、外周面に、車体に取り付けられる取付部３２０ａが形成されている。
【００６７】
さらに、フィニッシャ３２２には、内筒本体３２１ａの先端部に嵌合する嵌合部３２２ａと、円形状の吹出口３２４の一部を桟で覆うガード部３２２ｂとが形成されている。また、嵌合部３２２ａには、取付突部３２１ｃに係合する取付孔部３２２ｃと、第２取付突部３２１ｄに係合する取付リブ３２２ｄとが形成されている。さらに、ガード部３２２ｂの周囲に位置して、吹出方向を示す表示部３２２ｅが形成されている。そこで、内筒本体３２１ａの先端部にフィニッシャ３２２を嵌合した状態で、取付突部３２１ｃと取付孔部３２２ｃとの係合及び第２取付突部３２１ｄと取付リブ３２２ｄとの係合で、内筒３２１にフィニッシャ３２２が固定される。
【００６８】
また、案内手段３１２は、一対の案内体３３１，３３１を備えている。各案内体３３１は、合成樹脂にて一体に形成されたいわば導風板で、案内体本体部３３２と、この案内体本体部３３２から一体に突設された第１の案内部であり可動案内部となる案内部３３３とを備えている。そして、案内体本体部３３２は、内筒３２１の内筒本体３２１ａに略沿った形状で、円筒の一部をなす曲面状に形成され切欠部３２３ｃに所定方向Ａに沿って進退自在に嵌合する中本体部３３２ａと、この中本体部３３２ａの上流側に連続し、内筒本体３２１ａの外面に沿った形状で切欠部３２３ｃを覆った状態になる外本体部３３２ｂとを備えている。さらに、各外本体部３３２ｂの内周面には、案内体ガイド部３２３ｄに摺動自在に係合する案内体ガイド受部３３２ｃが一対のリブとして、すなわち所定方向Ａに沿った溝状に形成されている。このようにして、各案内体本体部３３２は、内筒３２１に摺動自在に案内され、所定方向Ａに沿って進退自在に支持されている。また、案内部３３３は、案内体本体部３３２の下流側の端部から、下流側に向かって流体通路Ｂの中心に向かう傾斜面となるように延設されている。また、本実施の形態では、各案内部３３３は、固定案内部３２５と連続可能な円錐台の一部である曲面状に形成されている。さらに、各外本体部３３２ｂの外周面には、それぞれリンク接続部３３５が形成されている。各リンク接続部３３５は、外周側に向かって突設された一対の連結ピンにて構成され、各連結ピンは、所定方向Ａに互いに所定間隔を介して離間している。
【００６９】
さらに、操作手段３１４は、リンク機構を構成する一対のガイド体３４１，３４１と、操作リング３４３とを備えている。そして、各ガイド体３４１は、それぞれ半円筒状をなし、互いに組み合わされて外筒３２０内に摺動自在に嵌合する略円筒状の回転筒体となるガイド体本体３４１ａを備えている。また、各ガイド体本体３４１ａの側端部には、互いに係合して連結される係合部３４１ｂ，３４１ｃが突設及び凹設されている。さらに、各ガイド体本体３４１ａの内周面には、一体または別体に突条部３４１ｄが設けられ、所定方向Ａに対して傾斜したガイド手段であるガイド溝３４４が形成されている。そして、このガイド溝３４４に、各案内体３３１のリンク接続部３３５が移動可能に係合するようになっている。また、各ガイド体本体３４１ａの下流側の端部近傍には、操作部取付部である係合受部３４１ｅが形成されている。一方、操作リング３４３は、円環状をなす操作部３４３ａと、この操作部３４３ａから突設されそれぞれ係合受部３４１ｅに係合する一対の係合部３４３ｂとを備えている。
【００７０】
そして、この吹出口装置３１０の組立作業は、内筒３２１に案内体３３１，３３１とフィニッシャ３２２とを組み合わせた状態で、案内体３３１，３３１の外周側から、ガイド溝３４４にリンク接続部３３５が係合するようにして、ガイド体３４１，３４１を組み合わせてアッセンブリを構成する。そして、このアッセンブリを、上流側から外筒３２０に挿入する。次いで、上流側から、ガイド体３４１，３４１にフィニッシャ３２２を係合して取り付ける。この状態で、外筒３２０の内側に、ガイド体３４１，３４１などが摺動可能で回転可能に支持されるとともに、フランジ部３２１ｂと操作部３４３ａとの間で抜け止めされ、吹出口装置３１０が容易に構成される。
【００７１】
そして、このように構成された吹出口装置３１０は、操作リング３４３を回動操作することにより、対をなす案内体３３１，３３１が連動して進退し、風向及び集中拡散状態が調整される。すなわち、図１３（ａ）に示すように、操作リング３４３を一方の方向の回転限まで回動することにより、対をなす案内体３３１，３３１が相対向する位置でかつ下流側の前進限に移動する。この状態では、案内体３３１，３３１の案内部３３３と、内筒３２１の固定案内部３２５との位置が略連続した面である円錐台状に揃った状態になり、正面に向かって集中した状態で風を案内できる。
【００７２】
また、図１３（ｂ）に示すように、操作リング３４３を中間位置まで回動することにより、一方の案内体３３１が相対的に前進し、他方の案内体３３１が相対的に後退した状態になり、すなわち、案内体３３１，３３１の位置が所定方向Ａに沿って互いに離間した状態になり、上流側に移動した案内部３３３により向きが変えられた空調風も含めて、下流側に移動した案内部３３３により空調風が集められるように案内され、空調風を曲げることができる。さらに、この状態で、フィニッシャ３２２などを把持して回転させることにより、外筒３２０に対して、ガイド体３４１，３４１及び内筒３２１とともに案内体３３１，３３１が３６０度自在に回動し、対をなす案内体３３１の位置関係を保ったまま、風向を３６０度自在に調整できる。
【００７３】
さらに、図１３（ｃ）に示すように、操作リング３４３を他方の方向の回転限まで回動することにより、対をなす案内体３３１，３３１が相対向する位置でかつ上流側の後退限に移動する。この状態では、案内体３３１，３３１の案内部３３３と、内筒３２１の固定案内部３２５との位置がずれた状態になり、正面に向かって拡散した状態で風を案内できる。
【００７４】
このように、本発明の第４の実施の形態によれば、ケース体３１１の内部に、案内部３３３，３３３を備えた案内体３３１，３３１を進退自在に配置し、操作手段３１４によりこれら案内部３３３，３３３を偏位させることで、風向を所望の方向に容易に制御できる。さらに、外筒３２０に対して、内筒３２１を回転自在に設けたため、風向を３６０度自在に調整できる。さらに、案内部３３３，３３３を揃えた状態で複数の位置に移動可能とし、ケース体３１１に設けた固定案内部３２５との位置関係を異ならせることにより、風の集中拡散状態も制御できる。そこで、多数のルーバを用いる構成などに比べて、構造を簡略化でき、製造コストを低減できるとともに、小型化、軽量化が容易になり、丸形状の吹出口に対応することも容易になる。
【００７５】
また、丸形状であっても、構造が簡略で、ケース体３１１の内側の流体通路Ｂに多数のルーバを駆動する複雑なリンク装置などを配置する必要がなく、さらに、本実施の形態では、流体通路Ｂにリンク機構が全く配置されず、滑らかな構造にでき、空調風の流れに対して逆方向となる傾斜面が形成されないため、通気抵抗を軽減し、空調装置の効率を向上できるとともに、騒音を小さくできる。
【００７６】
なお、上記の各実施の形態で示した構成を適宜組み合わせて用いることもできる。また、ケース体の形状も四角の角筒状や円筒状に限られず、適宜の構成を採ることができる。
【００７７】
例えば、図１４に示す第５の実施の形態のように、正面視略Ｌ字状の吹出口４０１を備えた吹出口装置４１０も、容易に形成できる。すなわち、正面視略Ｌ字状の薄型のケース体４１１に、案内手段４１２を構成する一対の正面視略Ｌ字状の案内体４１２ａ，４１２ａをそれぞれ進退可能に配置することにより、容易に構成される。なお、この実施の形態では、操作手段４１３は、ダイアル４１３ａを備えたリンク機構により構成されるが、このダイアル４１３ａは、ケース体４１１の外側に配置されている。また、フィニッシャ４２２のガード部４２２ａは、格子状に形成されている。
【００７８】
このように、本発明の吹出口装置は、種々の形状を容易に採ることができるため、吹出口を配置する場所が制限され、また、意匠上の要求の大きい自動車用の吹出口装置として、容易に用いることができる。
【００７９】
また、上記の各実施の形態では、同時に所定方向に移動する２個の案内部を備えた構成と、同時に所定方向に移動する２個の案内部に加えて、所定方向に移動しない２個の案内部を備えた構成について説明したが、この構成に限られず、例えば、同時に所定方向に移動する３個あるいは４個以上の案内部を備えた構成など、所定方向に移動する案内部と所定方向に移動しない案内部との個数は適宜選択することができる。
【００８０】
【発明の効果】
請求項１記載の吹出口装置によれば、操作手段を操作し、一の案内部を他の案内部より吹出口側に相対的に移動させることにより、この吹出口側の案内部により流体の吹き出し方向を案内できる。また、複数の案内部を吹出口に対して同じ位置に配置することにより、流体を正面方向に案内できる。構造が簡略で、製造コストを容易に低減できるとともに、形状の自由度を向上できる。流体通路の内側の流体を妨げる構造の抑制が可能になり、通気抵抗を容易に減少できる。
【００８１】
請求項２記載の吹出口装置によれば、請求項１記載の効果に加え、複数の案内部をそれぞれ所定方向に沿って互いに離間する方向に移動させることにより、操作手段を操作する量に対して、風向を大きく変化させ、操作性を容易に向上できる。
【００８２】
請求項３記載の吹出口装置によれば、請求項１記載の効果に加え、複数の案内部を、これら案内部が互いに連続する位置に移動させることにより、流体が集中するように案内でき、集中拡散状態を調整できる。
【００８３】
請求項４記載の吹出口装置によれば、請求項１ないし３いずれか一記載の効果に加え、ノブ部を揺動操作することで、流体の吹き出し方向を調整できる。構造が簡略で、製造コストを容易に低減できる。
【００８４】
請求項５記載の吹出口装置によれば、請求項１ないし３いずれか一記載の効果に加え、ノブ部を回動操作することで、流体の吹き出し方向を調整できる。
【００８５】
請求項６記載の吹出口装置によれば、請求項５記載の効果に加え、ノブ体を吹出口の外縁部に沿って回動操作することにより、流体の吹き出し方向を調整できる。流体通路にノブ体を配置する必要がなく、通気抵抗を容易に減少できるとともに、外観の向上が可能になる。
【００８６】
請求項７記載の吹出口装置によれば、請求項１ないし６いずれか一記載の効果に加え、請求項１ないし６いずれか一記載の構成とともに、外筒に対して内筒を回動することにより、自在な方向に流体を案内できる。
【図面の簡単な説明】
【図１】本発明の吹出口装置の第１の実施の形態を示す図２のＩ−Ｉ断面の動作の説明図である。
【図２】同上吹出口装置の斜視図である。
【図３】本発明の吹出口装置の第２の実施の形態を示す分解斜視図である。
【図４】同上吹出口装置の斜視図である。
【図５】同上吹出口装置の図４のＩＩ−ＩＩ断面の動作の説明図である。
【図６】同上吹出口装置の図４のＩＩＩ−ＩＩＩ断面図である。
【図７】本発明の吹出口装置の第３の実施の形態を示す分解斜視図である。
【図８】同上吹出口装置の斜視図である。
【図９】同上吹出口装置の図８のＩＶ−ＩＶ断面の動作の説明図である。
【図１０】同上吹出口装置の図８のＶ−Ｖ断面図である。
【図１１】本発明の吹出口装置の第４の実施の形態を示す分解斜視図である。
【図１２】同上吹出口装置の斜視図である。
【図１３】同上吹出口装置の図１２のＶＩ−ＶＩ断面の動作の説明図である。
【図１４】本発明の吹出口装置の第５の実施の形態を示す斜視図である。
【符号の説明】
１０    吹出口装置
１１    ケース体
１２    案内手段
１４    操作手段
２４    吹出口
３１    案内体
３３    案内部
４４    ノブ部
４５    リンク接続部
１２０    外筒
１２１    内筒
２２５    案内部としての固定案内部
Ａ    所定方向
Ｂ    流体通路
【図１】
2004322981.tif 000003
【図２】
2004322981.tif 000004
【図３】
2004322981.tif 000005
【図４】
2004322981.tif 000006
【図５】
2004322981.tif 000007
【図６】
2004322981.tif 000008
【図７】
2004322981.tif 000009
【図８】
2004322981.tif 000010
【図９】
2004322981.tif 000011
【図１０】
2004322981.tif 000012
【図１１】
2004322981.tif 000013
【図１２】
2004322981.tif 000014
【図１３】
2004322981.tif 000015
【図１４】
2004322981.tif 000016